(57)【要約】【課題】凹凸形状の表面に光沢層を形成する際に、記録ヘッドから出力面までの距離が変化しても所望の光沢度を制御可能な光沢制御装置を提供する。【解決手段】本発明の光沢制御装置は、凹凸形状の形状を特定する形状情報と、光沢の光沢度を特定する光沢情報と、に基づいて光沢形成パターンを導出する。光沢形成パターン導出手段は、光沢形成装置が単位面積あたりにインクドットを打ち込む割合である面積率と、光沢形成装置が同じ位置を狙ってインクドットを打ち込む回数である重ね数を決定することにより、凹凸形状の表面に形成する光沢を制御する。【選択図】図９
2017128066.tif 000002
【特許請求の範囲】
【請求項１】
凹凸形状の表面に光沢を形成する光沢形成装置に、前記光沢を制御するための光沢形成パターンを供給する光沢制御装置であって、
前記凹凸形状の形状を特定する形状情報と、前記光沢の光沢度を特定する光沢情報と、に基づいて前記光沢形成パターンを導出する光沢形成パターン導出手段を有し、
前記光沢形成パターン導出手段は、
前記光沢形成装置が単位面積あたりにインクドットを打ち込む割合である面積率を決定する
ことを特徴とする光沢制御装置。
【請求項２】
前記光沢形成パターン導出手段は、
前記光沢形成装置が同じ位置を狙ってインクドットを打ち込む回数である重ね数をさらに決定する
ことを特徴とする請求項１に記載の光沢制御装置。
【請求項３】
前記光沢形成装置の記録ヘッドから前記光沢を出力する対象である出力面までの距離を、前記形状情報に基づいて算出する距離算出手段をさらに有する
ことを特徴とする請求項１または２に記載の光沢制御装置。
【請求項４】
前記光沢形成パターン導出手段は、
前記距離が長くなるに応じて、前記光沢情報に対応する前記面積率が低くなるように決定する
ことを特徴とする請求項３に記載の光沢制御装置。
【請求項５】
前記光沢形成パターン導出手段は、
前記距離が長くなるに応じて、前記光沢情報に対応する前記重ね数が多くなるように決定する
ことを特徴とする請求項４に記載の光沢制御装置。
【請求項６】
前記光沢形成パターン導出手段は、
前記光沢形成装置が出力するインク量を制御する制御信号であって、単位面積あたりにインクドットを打ち込む割合である面積率と、同じ位置を狙ってインクドットを打ち込む回数である重ね数との組み合わせで構成される
ことを特徴とする請求項１から５のいずれか１項に記載の光沢制御装置。
【請求項７】
前記形状情報から、前記凹凸形状を形成するための凹凸形成パターンを導出する凹凸形成パターン導出手段をさらに有する
ことを特徴とする請求項１から６のいずれか１項に記載の光沢制御装置。
【請求項８】
画像情報から、前記凹凸形状の表面に画像を形成するための画像形成パターンを導出する画像形成パターン導出手段をさらに有する
ことを特徴とする請求項１から７のいずれか１項に記載の光沢制御装置。
【請求項９】
前記光沢情報は、鏡面光沢度、像鮮明度、写像度、および反射ヘイズを示す値のうち少なくとも１つである
ことを特徴とする請求項１から８のいずれか１項に記載の光沢制御装置。
【請求項１０】
前記前記形状情報は、前記凹凸形状の周波数特性および振幅特性のうち少なくとも１つである
ことを特徴とする請求項１から９のいずれか１項に記載の光沢制御装置。
【請求項１１】
凹凸形状の形状を特定する形状情報と、前記凹凸形状の表面に形成する光沢の光沢度を特定する光沢情報と、に基づいて光沢形成パターンを導出する光沢形成パターン導出手段と、
前記光沢形成パターンに応じて、前記凹凸形状の表面に前記光沢を形成する光沢形成手段とを有し、
前記光沢形成パターン導出手段は、
前記光沢形成装置が単位面積あたりにインクドットを打ち込む割合である面積率を決定する
ことを特徴とする光沢形成装置。
【請求項１２】
前記形状情報に基づいて凹凸形成パターンを導出する凹凸形成パターン導出手段と、
前記凹凸形成パターンに応じて、記録媒体上に前記凹凸形状を形成する凹凸形成手段とをさらに有し、
前記光沢形成手段は、前記記録媒体上に形成された前記凹凸形状の表面に前記光沢を形成する
ことを特徴とする請求項１１に記載の光沢形成装置。
【請求項１３】
凹凸形状の表面に光沢を形成する光沢形成装置に、前記光沢を制御するための光沢形成パターンを供給する光沢制御装置の制御方法であって、
前記凹凸形状の形状を特定する形状情報と、前記光沢の光沢度を特定する光沢情報と、に基づいて前記光沢形成パターンを導出する光沢形成パターン導出ステップを有し、
前記光沢形成パターン導出ステップによって、
前記光沢形成装置が単位面積あたりにインクドットを打ち込む割合である面積率が決定される
ことを特徴とする制御方法。
【請求項１４】
コンピュータを、請求項１から請求項１０のいずれか１項に記載の光沢制御装置の各手段として機能させるためのプログラム。
【発明の詳細な説明】
【技術分野】
【０００１】
本発明は、凹凸形状の表面に光沢を形成し、光沢感を有する構造物を出力する印刷制御に関する。
【背景技術】
【０００２】
凹凸形状の表面に光沢を形成し、光沢感を有する構造物を出力する印刷装置が知られている。凹凸形状の一例として、プレス加工が施されたエンボス加工用紙が挙げられる。このようなエンボス加工紙上に、例えば紫外線硬化型のクリアインクを吐出して光沢層を形成し、所望の光沢感を有する構造物を得ることができる印刷装置が知られている。
【０００３】
光沢感には、光沢度が強くテカテカした質感を与えるグロス感や、光沢度が弱くしっとりとした質感を与えるマット感などがある。従来技術において、例えばクリアインクの吐出量と、紫外線照射のタイミングとを制御することにより、グロス感やマット感などの異なる光沢感を有する印刷物を出力する画像形成装置が知られている（特許文献１）。
【０００４】
また、エンボス加工紙以外にも、３Ｄプリンタなどで任意の凹凸形状を形成することができる。従来技術において、インクの重ね数を制御することにより、記録用紙上に凹凸形状を形成し、立体的な質感を与える印刷物を出力するインクジェットプリンタも知られている（特許文献２）。形成された凹凸形状の表面にさらに光沢層を形成し、所望の光沢感を有する構造物を得たいという要請もある。
【先行技術文献】
【特許文献】
【０００５】
【特許文献１】特開２００９−２０８３４８号公報
【特許文献２】特開２０００−３１８１４０号公報
【発明の概要】
【発明が解決しようとする課題】
【０００６】
通常、インクジェット記録方式の画像形成装置は、記録ヘッドから出力面までの適正距離が存在する。適正距離の範囲内であれば、記録ヘッドから吐出されるインクドットが所望の位置に着弾する着弾精度が高くなる。一方、適正距離の範囲外であれば、インクドットの着弾精度が低くなる。そのため、インクドットが気流により舞い上がり出力面に着弾しないミストと呼ばれる現象などが発生し、高精細な画像を得られない場合がある。
【０００７】
インクジェット記録方式により、凹凸形状の表面に光沢層を形成する場合、通常凹凸形状の高さは一律ではないため、記録ヘッドから出力面までの距離も変化する。そのため、記録ヘッドから出力面までの適正距離を保つことは困難である。
【課題を解決するための手段】
【０００８】
本発明の光沢制御装置は、凹凸形状の表面に光沢を形成する光沢形成装置に、前記光沢を制御するための光沢形成パターンを供給する光沢制御装置であって、前記凹凸形状の形状を特定する形状情報と、前記光沢の光沢度を特定する光沢情報と、に基づいて前記光沢形成パターンを導出する光沢形成パターン導出手段を有し、前記光沢形成パターン導出手段は、前記光沢形成装置が単位面積あたりにインクドットを打ち込む割合である面積率を決定する。
【発明の効果】
【０００９】
本発明の光沢制御装置は、凹凸形状の表面に光沢層を形成する際に、記録ヘッドから出力面までの距離が変化しても所望の光沢度を制御することができる。
【図面の簡単な説明】
【００１０】
【図１】実施形態における構造物形成システムのハードウェア構成図である。
【図２】実施形態におけるプリンタの構成を説明する模式図である。
【図３】面積階調法による画像の階調表現を説明する模式図である。
【図４】実施形態における各層を形成するプリンタの動作を説明する図である。
【図５】実施形態における凹凸層、画像層、光沢層の断面を示す図である。
【図６】実施形態における異なる光沢特性を有する光沢層を示す模式図である。
【図７】実施形態における構造物を出力する手順を示すフローチャートである。
【図８】実施形態における構造物形成システムの機能を示すブロック図である。
【図９】実施形態において、信号変換処理で参照されるルックアップテーブルを示す図である。
【図１０】実施形態における記録ヘッドと出力面との位置関係を示す模式図である。
【図１１】実施形態における光沢形成パターンと高免光沢度との関係を示す図である。
【発明を実施するための形態】
【００１１】
以下、本発明を実施するための形態について図面を参照して説明する。ただし、この実施形態に記載されている構成要素はあくまで例示であり、本発明の範囲をそれらに限定する趣旨のものではない。
【００１２】
［実施形態１］
（光沢制御装置のハードウェア構成）
図１は、本実施形態における構造物形成システムのハードウェア構成を示すブロック図である。図１の構造物形成システムにおいて、コントローラ１００は、例えばコンピュータであり、ＣＰＵ１０１と、メモリ１０２と、キーボードやマウスなどによって構成される入力部１０３と、ハードディスクドライブなどの外部記憶装置１０４とを備える。さらに、コントローラ１００は、光沢形成装置であるプリンタ２００との間の通信インタフェイス（以下インタフェイスは「Ｉ／Ｆ」と記す）であるプリンタＩ／Ｆ１０５と、モニタ１０７との間の通信Ｉ／ＦであるビデオＩ／Ｆ１０６とを備える。
【００１３】
ＣＰＵ１０１は、メモリ１０２に格納されたプログラムに従い各種処理を実行するものであり、特に、実施形態のマッピング処理や制御信号変換処理を実行する。これらのプログラムは外部記憶装置１０４に記憶されるか、あるいは不図示の外部装置から供給される。また、コントローラ１００はビデオＩ／Ｆ１０６を介してモニタ１０７に各種情報を出力すると共に、入力部１０３を通じて各種情報の入力を受け付ける。また、コントローラ１００はプリンタＩ／Ｆ１０５を介してプリンタ２００と接続されており、制御信号変換処理によって変換された各種形成パターン信号を、プリンタ２００に送信して記録を行わせると共に、プリンタ２００から各種情報の入力を受け付ける。
【００１４】
（プリンタの概略構成）
図２は、本実施形態におけるプリンタ２００の構成を説明する模式図である。本実施形態において、プリンタ２００は、複数種類のインクを用いて形状、画像、光沢の記録を行うインクジェットプリンタによって実現される。プリンタ２００のヘッドカートリッジ２０１は、複数の吐出口からなる記録ヘッドと、記録ヘッドへインクを供給する複数種類のインクタンクとを有し、記録ヘッドの各吐出口を駆動するための信号などを受信するためのコネクタが設けられている。以下本明細書において、複数種類のインクにより形成される形状、画像、光沢をそれぞれ、凹凸層、画像層、光沢層と記す。
【００１５】
インクタンクは、凹凸層および光沢層を形成するためのクリアインク用と、画像層を形成するためのシアン（Ｃ）、マゼンタ（Ｍ）、イエロー（Ｙ）、ブラック（Ｋ）、ホワイト（Ｗ）の色インク用とに、それぞれ独立して設けられている。ヘッドカートリッジ２０１はキャリッジ２０２に位置決めして交換可能に搭載されており、キャリッジ２０２には、上記コネクタを介してヘッドカートリッジ２０１に駆動信号等を伝達するためのコネクタホルダが設けられている。また、キャリッジ２０２には、紫外光照射装置２１５が搭載されており、記録ヘッドから吐出された硬化性のクリアインクは、紫外光照射装置２１５から紫外光が照射されることに応じて記録媒体上に固着する。キャリッジ２０２は、ガイドシャフト２０３に沿って往復移動可能となっている。具体的には、キャリッジ２０２は、主走査モータ２０４を駆動源としてモータプーリ２０５、従動プーリ２０６およびタイミングベルト２０７等の駆動機構を介して駆動されるとともに、その位置及び移動が制御される。なお、このキャリッジ２０２のガイドシャフト２０３に沿った移動を「主走査」といい、移動方向を「主走査方向」という。
【００１６】
プリント用紙等の記録媒体２０８は、オートシートフィーダ（以下「ＡＳＦ」と記す）２１０に載置されている。プリンタ２００が記録動作を行うとき、給紙モータ２１１の駆動によってギアを介してピックアップローラ２１２が回転し、ＡＳＦ２１０から記録媒体２０８が一枚ずつ分離されて給紙される。さらに、記録媒体２０８は、搬送ローラ２０９の回転によりキャリッジ２０２上のヘッドカートリッジ２０１の吐出口面と対向する記録開始位置に搬送される。搬送ローラ２０９は、ラインフィード（ＬＦ）モータ２１３を駆動源としてギアを介して駆動される。記録媒体２０８が給紙されたか否かの判定と、記録媒体２０８の給紙開始位置（頭出し位置）の確定とは、記録媒体２０８がペーパエンドセンサ２１４を通過した時点で行われる。キャリッジ２０２に搭載されたヘッドカートリッジ２０１は、吐出口面がキャリッジ２０２から下方へ突出して記録媒体２０８と平行になるように保持されている。制御部２２０は、ＣＰＵや記憶装置等から構成されており、プリンタ２００は、コントローラ１００などの外部から供給された形状情報、画像情報、光沢情報を含む印刷データに基づいてプリンタ２００の各パーツの動作を制御する。
【００１７】
（記録動作）
次に、図２のプリンタ２００における記録動作について説明する。まず、記録媒体２０８が所定の記録開始位置に搬送されると、キャリッジ２０２がガイドシャフト２０３に沿って記録媒体２０８上を移動し、その移動の際に記録ヘッドの吐出口よりインクが吐出される。紫外光照射装置２１５は、記録ヘッドの移動に合わせて紫外光を照射し、吐出されたインクを硬化させる。この結果、吐出されたインクは記録媒体上に固着する。そして、キャリッジ２０２がガイドシャフト２０３の一端まで移動すると、搬送ローラ２０９が所定量だけ記録媒体２０８をキャリッジ２０２の走査方向に垂直な方向に搬送する。この記録媒体２０８の搬送を「紙送り」または「副走査」といい、この搬送方向を「紙送り方向」または「副走査方向」という。記録媒体２０８の所定量の搬送が終了すると、再度キャリッジ２０２はガイドシャフト２０３に沿って移動する。このように、記録ヘッドのキャリッジ２０２による走査と紙送りとを繰り返すことにより記録媒体２０８全体に凹凸層が形成される。次いで、凹凸層が形成された後に、搬送ローラ２０９が記録媒体２０８を記録開始位置に戻し、凹凸層を形成するプロセスと同様のプロセスを繰り返し、凹凸層上に画像層を形成する。さらに、凹凸層を形成するプロセス、および画像層を形成するプロセスと同様のプロセスを繰り返し、画像層上に光沢層を形成する。
【００１８】
図３は、面積階調法による画像の階調表現を説明する模式図である。記録ヘッドは基本的にインク滴を吐出するか否かの２値の制御で表現される。本実施形態では、プリンタ２００の出力解像度で定義される画素毎にインクのオン・オフを制御するものとし、単位面積あたりに全画素をオンにした状態をインク量１００％として扱うものとする。こうしたいわゆる２値プリンタでは、単一の画素では１００％か０％しか表現することができないため、複数の画素の集合で中間調を表現する。図３の例において、図中左下に示す２５％濃度の中間調表現では、図中右下に示すように４×４画素（全１６画素）のうち４画素にインクを吐出することにより、面積的に４/１６＝２５％の表現を行っている。他の階調においても同様に表現することが可能である。
【００１９】
オンになる画素のパターンの決定には、例えば周期的なスクリーン処理や誤差拡散処理などがよく利用されるが、中間調を表現するための総画素数やオンになる画素のパターン等は上記の例に限定されるものではない。また、面積階調法による画像の階調表現においては、インク吐出量を変調可能な記録ヘッドを用いることにより、２値よりも大きい階調での多値化処理に拡張することができ、実施形態は２値の制御に限定されるものではない。
【００２０】
本実施形態の凹凸層形成では、前述のインク量の概念を用いて位置ごとに高さの制御を行う。凹凸層形成において、インク量１００％でほぼ均一な凹凸層を形成した場合、吐出したインクの体積に応じて、凹凸層はある厚さ＝高さを有する。例えば、インク量１００％で形成された層が２０μｍの厚さを有する場合、１００μｍの厚さを再現するには、層を５回重ねればよい。つまり、１００μｍの高さが必要な位置に打ち込むインク量は５００％となる。
【００２１】
図４は、記録媒体２０８上を記録ヘッドが走査することで凹凸層、画像層、光沢層を形成する動作を説明する図である。キャリッジ２０２による主走査で記録ヘッドの幅Ｌだけ凹凸層形成を行い、１ラインの記録が終了する毎に記録媒体２０８を副走査方向に距離Ｌずつ搬送する。説明を平易にするため、本実施形態におけるプリンタ２００は一回の走査でインク量１００％までのインク吐出しかできないものとする。そのため、プリンタ２００は、インク量１００％を超える層を形成する場合は、記録媒体２０８の搬送を行わずに、記録ヘッドに同じ領域を複数回走査させる。例えば、打ち込むインク量が最大５００％の場合は、記録ヘッドは同じラインを５回走査する。これを、図４を参照して説明すると、領域Ａを記録ヘッドで５回走査した（図４（ａ））後、記録媒体２０８を副走査方向に距離Ｌだけ搬送し、領域Ｂの主走査を５回繰り返す（図４（ｂ））ことになる。なお、記録ヘッドの駆動精度に起因する周期ムラ等の画質劣化を抑制するために、インク量１００％以下でも複数回の走査、いわゆる多パス印刷を行う場合がある。
【００２２】
図４（ｃ）〜（ｅ）は、２パス記録の例を示す図である。図４（ｃ）〜（ｅ）の例では、キャリッジ２０２による主走査で記録ヘッドの幅Ｌだけ記録を行い、１ラインの記録が終了するごとに記録媒体２０８を副走査方向に距離Ｌ／２ずつ搬送する。領域Ａは記録ヘッドのｍ回目の主走査（図４（ｃ））とｍ＋１回目の主走査（図４（ｄ））により記録され、領域Ｂは記録ヘッドのｍ＋１回目の主走査（図４（ｄ））とｍ＋２回目の主走査（図４（ｅ））により記録される。ここで、２パス記録の動作を説明したが、パス数を何回にするかは、印刷対象とする画像に求める凹凸の制度や画質の精度に応じて変えることができる。ｎパス記録を行う場合は、例えば、１ラインの記録が終了する毎に記録媒体２０８を副走査方向に距離Ｌ／ｎずつ搬送する。この場合、インク量が１００％以下でも複数の印刷パターンに分割し、記録媒体２０８の同一ライン上を記録ヘッドがｎ回主走査することで凹凸層、画像層、光沢層を形成する。
【００２３】
本実施形態では、上述の多パス印刷による走査と、１００％以上のインクを打ち込むための走査との混同を防ぐため、多パス印刷は行わないものとし、複数回の走査は、層を積層するためのものとして説明する。なお、本発明を適用可能な記録媒体に特に限定はなく、記録ヘッドによる画像記録に対応できるものであれば、紙やプラスチックフィルム等、各種材料が利用可能である。
【００２４】
（凹凸層、画像層、光沢層）
図５は、記録媒体２０８上に生成された凹凸層、画像層、光沢層の断面の一例を示す図である。本実施形態では、数ｍｍ程度の高さまでの分布を有する凹凸層５０１の表面に画像層５０２が形成され、画像層５０２の表面に光沢層５０３が形成されることを想定して記載する。厳密には画像層５０２および光沢層５０３も高さ分布を有するが、厚みは数μｍ高程度であり、最終的な構造物への影響は軽微であるので、無視しても構わない。もちろん、画像層５０２および光沢層５０３の厚さ分布を考慮して高さデータに修正を加えるなどの処理を施してもよい。また、本実施形態では、鏡面光沢度の分布を制御するために光沢層５０３を微細な形状とするため、凹凸層５０１は、光沢層５０３の微細な形状より十分に低周波な形状で形成されるものとする。
【００２５】
（光沢層の微細形状制御による効果）
本実施形態において、鏡面光沢度は光沢層５０３の表面における微細な形状によって制御される。図６は、クリアインクによって形成された異なる光沢特性を有する光沢層５０３を示す模式図である。図６（ａ）〜図６（ｆ）において、上図は各座標位置において吐出されるインク量を、下図は吐出されたインクによって形成される光沢層５０３の断面を示す模式図である。記録媒体２０８と、凹凸層５０１と、画像層５０２とによって形成される構造物の下地６０１は、ほぼ平滑であるものとして説明する。また、図６において符号６０２は記録ヘッドを示し、距離Ｄ、Ｄ’は、それぞれ記録ヘッド６０２から、光沢層５０３を形成する対象となる下地６０１の表面（以下、「出力面」と記す）までの距離を模式的に示したものである。
【００２６】
図３で説明した通り、本実施形態のプリンタ２００は、単位面積にインクドットを打ち込む割合、すなわち面積率に応じて中間調表現を可変させる。図６（ａ）（ｂ）はそれぞれ、面積率１００％と２５％とでクリアインクを吐出した場合の模式図である。
【００２７】
図６（ａ）に示される下地６０１の表面は、ほとんどがクリアインクで被覆されており、光沢層５０３表面の凹凸差は小さくなる。一方、図６（ｂ）に示される下地６０１の表面は、クリアインクで被覆される部分とクリアインクで被覆されていない部分とが混在しているため、光沢層５０３表面の凹凸差は大きくなる。そのため、光沢層５０３表面における微小領域の法線が様々な方向を向き、ある角度から入ってきた光が様々な角度に乱反射する。かかる構造により、図６（ｂ）における構造物の鏡面光沢度は、図６（ａ）における構造物の鏡面光沢度と比較して小さくなる。
【００２８】
さらに図６（ｃ）は、図６（ｂ）と同じ面積階調パターンで、同じ位置を狙って打ち込まれたクリアインクを４回重ねて光沢層５０３を形成したパターンである。図６（ｃ）の光沢層５０３は、図６（ｂ）の光沢層５０３と比べて凹凸差が大きく法線角度分布も拡がるため、図６（ｃ）における構造物の鏡面光沢度はさらに低くなる。なお、上記説明した面積率と、クリアインクの重ね回数と、鏡面光沢度との関係は一例に過ぎず、記録媒体２０８の特性とインクとの相性などによって変化する。
【００２９】
（プリンタの動作）
図７は、実施形態１のプリンタ２００が構造物を出力するまでの手順を示すフローチャートである。なお、図７に示されるフローチャートによる処理は、外部記憶装置１０４に格納されたプログラムコードがメモリ１０２に展開され、ＣＰＵ１０１によって実行される。また、図８は、実施形態１のコントローラ１００およびプリンタ２００の機能を示すブロック図である。本実施形態において、コントローラ１００は、入力を受け付けた各種データに基づいて光沢を制御する光沢制御装置に相当する。
【００３０】
Ｓ１０１において、入力部１０３は、形状情報、画像情報、光沢情報の入力を、外部装置等から受け付ける。本実施形態において、形状情報、画像情報、光沢情報は、コントローラ１００が制御可能な形状データ、画像データ、光沢データが相当する。
【００３１】
本実施形態では、形状データは、例えば、３次元形状測定器から出力される点群データや、３次元ＣＡＤなどで用いられるポリゴンデータなどが用いられる。点群データは、３次元座標空間における頂点（ｘ，ｙ，ｚ）の集合によって記述される。ポリゴンデータは、多角形（通常は三角形）の頂点座標（ｘ，ｙ，ｚ）を含み、頂点の組み合わせに基づいて決定される面の集合で記述される。
【００３２】
本実施形態では、画像データは、例えば、ｓＲＧＢの画像データ、Ａｄｏｂｅ（登録商標）ＲＧＢで定義される画像データ、ＣＩＥＬＡＢ色空間に対応する画像データなどが用いられる。
【００３３】
本実施形態では、光沢データは、例えば、ＪＩＳＺ８７４１の方法で測定される鏡面光沢度、ＪＩＳＫ７１７４やＪＩＳＨ８６８６の方法で測定される像鮮明度、ＩＳＯ１３８０３やＡＳＴＭＥ４３０の方法で測定される反射ヘイズを示す値などが用いられる。また、光沢データは写像度を示す値が用いられてもよい。
【００３４】
Ｓ１０２において、コントローラ１００は、Ｓ１０１で入力を受け付けた形状データ、画像データ、光沢データを、プリンタ２００で再現可能な凹凸層５０１、画像層５０２、光沢層５０３にそれぞれ対応する形状信号、画像信号、光沢信号に変換する。以後、Ｓ１０２における変換処理をマッピング処理と称し、マッピング処理の詳細は後述する。
【００３５】
Ｓ１０３において、コントローラ１００は、Ｓ１０２で変換された形状信号、画像信号、光沢信号を、プリンタ２００を制御する制御信号に変換する。前述の通り、本実施形態のプリンタ２００は、インクジェット方式の構造物形成装置であり、Ｓ１０３で変換される制御信号は、例えば、構造物形成装置が記録媒体２０８に吐出する色材（インク）量を示す信号である。Ｓ１０３の詳細は後述する。
【００３６】
Ｓ１０４において、プリンタ２００は、Ｓ１０３で変換された制御信号に基づいて記録媒体２０８上に構造物を出力する。
【００３７】
（マッピング）
図７（ｂ）は、本実施形態におけるマッピング処理の手順を示すフローチャートであり、図７（ａ）におけるＳ１０２のサブルーチンに相当する。
【００３８】
Ｓ２０１において、形状マッピング部８０１は、Ｓ１０１で入力された形状データを、プリンタ２００で再現可能な凹凸形状に対応する形状信号に変換する。本実施形態の形状信号は、プリンタ２００の出力解像度で定義される画素単位のｘｙ座標系において、座標ごとの高さを示す高さ信号Ｈ（ｘ，ｙ）が用いられる。以後、Ｓ２０１における変換処理を形状マッピング処理と称する。
【００３９】
また、形状マッピング部８０１は、変換した形状信号を、プリンタ２００が再現可能な凹凸形状に対応する形状信号となるように修正する。例えば、凹凸層５０１は、クリアインクを複数回重ねて吐出されることにより形成されるため、プリンタ２００は、空中に浮いている状態の凹凸形状を出力することができない。この場合、形状マッピング部８０１は、凹凸層５０１の最大高さＨｍａｘ（ｘ，ｙ）をメモリ１０２に保持し、記録媒体２０８の表面高さから最大高さＨｍａｘ（ｘ，ｙ）までの間に存在するブランクを、ダミーデータで補完するなどの修正を行う。
【００４０】
その他、高さ信号Ｈ（ｘ，ｙ）がプリンタ２００の出力可能範囲を超えている場合、形状マッピング部８０１はクリッピング処理を行い、プリンタ２００が出力可能な高さであるＨ＿ＴＨ以下となるように、高さ信号Ｈ（ｘ，ｙ）を修正する。高さ信号Ｈ（ｘ，ｙ）を修正する実施形態は上記に限られず、例えば高さ信号Ｈ（ｘ，ｙ）を線形圧縮する手法を用いることもできる。
【００４１】
Ｓ２０２において、カラーマッピング部８０２は、Ｓ１０１で入力された画像データを、プリンタ２００で再現可能な色に対応する画像信号に変換する。本実施形態の画像信号は、プリンタ２００の出力解像度で定義される画素単位のｘｙ座標系において、座標ごとの色を示す画像信号Ｌａｂ（ｘ，ｙ）が用いられる。以後、Ｓ２０２における変換処理をカラーマッピング処理と称する。
【００４２】
まず、カラーマッピング部８０２は、Ｓ１０１で入力された画像データを画像信号Ｌａｂ（ｘ，ｙ）に変換する。Ｓ１０１で入力された画像データが画像信号ＲＧＢの値で構成されている場合、カラーマッピング部８０２は、ｓＲＧＢなど公知の手法に従って画像信号ＲＧＢから画像信号Ｌａｂへの変換を行うことができる。
【００４３】
次いで、カラーマッピング部８０２は、変換した画像信号Ｌａｂ（ｘ，ｙ）が、プリンタ２００で再現可能な色に対応しているかを判定する。本実施形態では、カラーマッピング部８０２は、再現可能な色域であるＣＩＥＬＡＢなどを色域情報としてあらかじめメモリ１０２に保持しておき、画像信号Ｌａｂ（ｘ，ｙ）と、色域情報とを比較することにより上記判定を行う。画像信号Ｌａｂ（ｘ，ｙ）が、プリンタ２００で再現可能ではない場合、カラーマッピング部８０２は、画像信号Ｌａｂ（ｘ，ｙ）をプリンタ２００で再現可能な色に対応する画像信号に修正する。カラーマッピング部８０２は、ＣＩＥＬＡＢにおいて、色相角が同じかつ色差ΔＥが最小となるように画像信号Ｌａｂ（ｘ，ｙ）を修正する。
【００４４】
Ｓ２０３において、光沢マッピング部８０３は、Ｓ１０１で入力された光沢データを、プリンタ２００で再現可能な光沢度に対応する光沢信号に変換する。本実施形態の光沢信号は、プリンタ２００の出力解像度で定義される画素単位のｘｙ座標系において、座標ごとの光沢度を示す光沢信号Ｇ（ｘ，ｙ）が用いられる。本実施形態では、ＪＩＳＺ８７４１の手法で測定される鏡面光沢度に対応する光沢信号を用いる態様について説明する。以後、Ｓ２０３における変換処理を光沢マッピング処理と称する。
【００４５】
まず、光沢マッピング部８０３は、Ｓ１０１で入力された光沢データを光沢信号Ｇ（ｘ，ｙ）に変換する。光沢マッピング部８０３は、例えばルックアップテーブル（以下「ＬＵＴ」と記す）を参照することにより、光沢データを光沢信号Ｇ（ｘ，ｙ）に変換することができる。
【００４６】
次いで、光沢マッピング部８０３は、変換した光沢信号Ｇ（ｘ，ｙ）を、プリンタ２００で再現可能な光沢度に対応しているかを判定する。例えば、光沢マッピング部８０３は、プリンタ２００が出力可能な光沢度の範囲をあらかじめメモリ１０２に保持しておき、光沢信号Ｇ（ｘ，ｙ）と、光沢度の範囲とを比較することにより上記判定を行う。
【００４７】
光沢信号Ｇ（ｘ，ｙ）が、プリンタ２００で再現可能ではない場合、光沢マッピング部８０３は、光沢信号Ｇ（ｘ，ｙ）をプリンタ２００で再現可能な光沢度に対応する光沢信号に修正する。光沢信号Ｇ（ｘ，ｙ）を修正する実施形態は上記に限られず、例えば光沢信号Ｇ（ｘ，ｙ）を線形圧縮する手法や、クリッピング処理を用いることもできる。
【００４８】
以上説明した通り、形状マッピング処理、カラーマッピング処理、光沢マッピング処理により、形状信号Ｈ（ｘ，ｙ）、画像信号ＣＭＹＫ（ｘ，ｙ）、光沢信号Ｇ（ｘ，ｙ）がそれぞれ出力される。なお、Ｓ２０１からＳ２０３のマッピング処理の順序は一例であり、Ｓ２０１からＳ２０３のマッピング処理の順序を変更しても構わない。
【００４９】
（制御信号への変換）
図７（ｃ）は、本実施形態において、プリンタ２００を制御する制御信号への変換処理の手順を示すフローチャートであり、図７（ａ）におけるＳ１０３のサブルーチンに相当する。
【００５０】
Ｓ３０１において、凹凸形成パターン導出部８０４は、Ｓ２０１で出力された高さ信号Ｈ（ｘ，ｙ）から、凹凸形成パターンＣＬH’（ｘ，ｙ）を導出する。
【００５１】
まず、凹凸形成パターン導出部８０４は、図９（ａ）に示されるＬＵＴを参照し、高さ信号Ｈ（ｘ，ｙ）を、座標ごとのクリアインク量ＣＬH（ｘ，ｙ）に変換する。図９（ａ）は、高さ信号Ｈ（ｘ，ｙ）とクリアインク量ＣＬH（ｘ，ｙ）とが対応付けられたＬＵＴの一例を示し、例えば入力された高さ信号Ｈが「１６」の場合、出力されるクリアインク量ＣＬHは「１００％」となるようにＬＵＴの値が対応付けられている。図９（ａ）のＬＵＴに示されていない「２４」などの高さ信号Ｈの値が入力された場合、凹凸形成パターン導出部８０４は、公知の線形補完などの手法を用いて「１５０％」などのクリアインク量ＣＬHへの変換を行う。
【００５２】
通常、凹凸層５０１の高さと、クリアインク量ＣＬHとは比例の関係にある。クリアインクの濡れ拡がり特性により、周波数の高い凹凸形状は鈍ってしまう場合があるため、クリアインク量ＣＬHに適宜ＭＴＦ（Ｍｏｄｕｌａｔｉｏｎ  Ｔｒａｎｓｆｅｒ  Ｆｕｎｃｔｉｏｎ）補正を施してもよい。
【００５３】
また、光沢層５０３は、表面に微細な凹凸形状を形成することにより光沢度を制御するため、凹凸層５０１に高周波な形状が含まれていた場合、光沢層５０３が表現する光沢度に影響を与えてしまう。光沢層５０３が表現する光沢度への影響を避けるため、凹凸形成パターン導出部８０４は、高周波成分をカットするローパスフィルタをクリアインク量ＣＬHに適用することが望ましい。
【００５４】
次に、凹凸形成パターン導出部８０４は、クリアインク量ＣＬH（ｘ，ｙ）に基づき、座標ごとのクリアインクの吐出回数を示す、凹凸形成パターンＣＬH’（ｘ、ｙ）を導出する。本実施形態において、クリアインク量ＣＬHが「１００％」を示す場合、記録ヘッドからはクリアインクが１回吐出される。そのため、クリアインク量ＣＬHが「７５％」「１２５％」「２５０％」などの１００％未満の端数を含む場合、凹凸形成パターン導出部８０４は、２値化処理により確率的にクリアインクを打つか否かを決定する。一般的に、この２値化処理はハーフトーン処理と呼ばれ、公知のディザ法や誤差拡散法を用いることができる。例えば、ディザ法を用いた場合、閾値マトリクスと呼ばれるマスク画像と入力値とを比較することにより量子化を行うことができる。
【００５５】
Ｓ３０２において、画像形成パターン導出部８０５は、Ｓ２０２で出力された画像信号Ｌａｂ（ｘ，ｙ）から、画像形成パターンＣ’Ｍ’Ｙ’Ｋ’（ｘ，ｙ）を導出する。
【００５６】
まず、画像形成パターン導出部８０５は、図９（ｂ）に示されるＬＵＴを参照し、画像信号Ｌａｂ（ｘ，ｙ）を、座標ごとの色インク量ＣＭＹＫ（ｘ，ｙ）に変換する。図９（ｂ）は、画像信号Ｌａｂ（ｘ，ｙ）と色インク量ＣＭＹＫ（ｘ，ｙ）とが対応付けられたＬＵＴの一例を示す。このようなＬＵＴは、一般的なカラープリンタに用いられる公知のＬＵＴを適用することができる。
【００５７】
次に、画像形成パターン導出部８０５は、色インク量ＣＭＹＫ（ｘ，ｙ）に基づき、座標ごとの色インクの吐出回数を示す、画像形成パターンＣ’Ｍ’Ｙ’Ｋ’（ｘ，ｙ）を導出する。画像形成パターン導出部８０５は、Ｓ３０１と同様に、閾値マトリクスを用いた量子化処理によって色インク量ＣＭＹＫ（ｘ，ｙ）から画像形成パターンＣ’Ｍ’Ｙ’Ｋ’（ｘ，ｙ）への変換を行うことができる。
【００５８】
Ｓ３０３において、距離算出部８０７は、記録ヘッドから光沢層５０３を形成する対象となる出力面までの距離Ｄ’を、プリンタ２００の出力解像度で定義される画素単位のｘｙ座標系の座標ごとに算出する。距離算出部８０７は、インクドットの着弾位置精度が高い適性距離Ｄを、予めメモリ１０２などの記憶領域に保持する。距離算出部８０７は、適正距離Ｄを記憶領域から呼び出し、高さ信号Ｈ（ｘ，ｙ）との差分をとることにより、記録ヘッドから出力面までの距離Ｄ’を算出することができる。
【００５９】
Ｓ３０４において、光沢形成パターン導出部８０６は、Ｓ２０３で出力された光沢信号Ｇ（ｘ，ｙ）と、Ｓ３０３で算出された距離Ｄ’（ｘ，ｙ）とに基づき、光沢形成パターンＣＬG’（ｘ，ｙ）を算出する。図９（ｃ）は、距離Ｄ’と、光沢信号Ｇと、光沢形成パターンＣＬG’とが対応付けられたＬＵＴの一例を示す模式図である。本実施形態において、光沢形成パターンＣＬG’は、面積率Ａと重ね数ｎとの組み合わせで構成される。光沢形成パターン導出部８０６は、図９（ｃ）のＬＵＴを参照して得られた面積率Ａに応じて、光沢層５０３を形成するためのクリアインクを吐出する座標を決定する。さらに、光沢形成パターン導出部８０６は、決定した座標にクリアインクを打ち込む回数である重ね数ｎを決定する。例えば、面積率Ａ＝２５％、重ね数ｎ＝５であれば、図３右下に例示されるドットパターンに対応する光沢形成パターンＣＬG’が導出され、図３右下のドットパターンにおいて黒で塗りつぶされた矩形が示す座標にクリアインクが５回吐出される。
【００６０】
次いで、印刷データ生成部８０８は、凹凸形成パターンＣＬH’（ｘ、ｙ）と、画像形成パターンＣ’Ｍ’Ｙ’Ｋ’（ｘ，ｙ）と、光沢形成パターンＣＬG’ （ｘ，ｙ）とが含まれる印刷イメージデータに、印刷制御情報を加えた印刷データを生成する。なお、印刷制御情報には、記録の対象となる普通紙、光沢紙、コート紙などの用紙の種類、および高速印刷、高品位印刷などの品位に関する情報が含まれており、このような印刷制御情報は、ユーザから入力部１０３を介して入力を受け付けることができる。
【００６１】
以上説明した通り、Ｓ３０４において、光沢形成パターン導出部８０６は形状情報を考慮して光沢形成パターンＣＬG’（ｘ，ｙ）を導出する。そのため、プリンタ２００は、記録ヘッドから出力面までの距離Ｄ’に応じて異なる面積率Ａと重ね数とでクリアインクを吐出することになる。
【００６２】
（記録ヘッドから出力面までの距離に応じた光沢層の変化）
図１０は、記録ヘッドと出力面との位置関係を示す模式図である。以下、図１０を参照して、記録ヘッドから出力面までの距離に応じて、形成される光沢層５０３が与える効果について説明する。
【００６３】
通常、記録ヘッドは記録媒体との距離を一定に保ちつつインクを吐出する。しかし、本実施形態の記録ヘッドは、記録媒体上に形成された数ｍｍ高さの下地（記録媒体２０８、凹凸層５０１および画像層５０２）の表面にインクを吐出する。そのため、本実施形態のプリンタ２００は、記録ヘッドと出力面との距離を一定に保つことができない。記録ヘッドから出力面までの距離を一定に保つために、記録ヘッドを下地の高さに併せて走査させる手法も考えられるが、自ずとプリンタ２００の機構が複雑となり、精度やコスト等の観点から実現が難しい。
【００６４】
一般的に、記録ヘッドから出力面までの距離が遠くなれば遠くなるほど、インクドットが所望の位置に着弾する着弾精度が低下する。着弾精度が低下すると、インクドットが気流により舞い上がり出力面に着弾しないミストと呼ばれる現象なども発生する。
【００６５】
図１０において、記録ヘッド６０２から、出力面（下地６０１）までの距離Ｄは適正距離に相当し、記録ヘッド６０２から吐出されたインクドットの着弾精度は高い。一方、記録ヘッド６０２から、凹凸層５０１が形成されていない出力面（すなわち記録媒体２０８）までの距離Ｄ’は、適正距離Ｄから差分ΔＨ離れた非適正距離である。そのため、インクドットの着弾精度は低く、上述のミスト現象などにより高精細の画像が出力できない場合も発生する。
【００６６】
図６（ｄ）は、図６（ｃ）と同じ面積階調パターンで、適正距離外からクリアインクを４回吐出して光沢層５０３を形成した光沢形成パターンである。図６（ｄ）におけるクリアインクの着弾精度は、図６（ｃ）におけるクリアインクの着弾精度と比較して低く、同じ座標を狙って吐出されたインクドットであっても、着弾位置に誤差が発生している。着弾位置の誤差が発生した結果、図６（ｄ）における光沢層５０３の表面形状は、図６（ｃ）における光沢層５０３の表面形状と比較して拡がってしまう。図６（ｄ）における光沢層５０３の表面凹凸差は小さくなるため、法線角度分布も小さくなってしまい、この結果構造物の鏡面光沢度を抑制することが難しくなる。
【００６７】
図１１は、光沢形成パターンと鏡面光沢度との関係を例示するグラフである。図１１のグラフにおいて、光沢形成パターン１は、例えば「面積率Ａ＝２５％，重ね数ｎ＝４」である。適正距離でインクが吐出された場合、図６（ｃ）に示されるような光沢層５０３が形成される。一方、適正距離外でインクが吐出された場合、図６（ｄ）に示されるような光沢層５０３が形成される。上述の通り、図６（ｄ）における光沢層５０３の表面形状は、図６（ｃ）のものと比較して拡がってしまう。この結果、図１１のグラフに示される通り、適正距離で形成される構造物の鏡面光沢度は、より抑制された値を記録する。
【００６８】
一方、図６（ａ）と同じ面積階調パターンで、適正距離外からクリアインクを吐出して光沢層５０３を形成すると、着弾位置に誤差が生じるため、インクドットが重なる領域と、インクドットが分散する領域とが発生する。着弾位置の誤差が発生する結果、下地６０１の表面に形成される微細凹凸面の凹凸差が大きくなり、構造物の鏡面光沢度は低くなってしまう。
【００６９】
図１１のグラフにおいて、光沢形成パターン４は、例えば「面積率Ａ＝１００％，重ね数ｎ＝１」である。適正距離でインクが吐出された場合、図６（ａ）に示されるような光沢層５０３が形成される。一方、適正距離外でインクが吐出された場合、着弾位置に誤差が生じるため、インクドットが重なる領域と、インクドットが分散する領域とが発生する。この結果、図１１のグラフに示される通り、適正距離外で形成される構造物の鏡面光沢度は、所望の値よりも低い値を記録する。
【００７０】
インクドット着弾位置の誤差による表面形状の拡がりを補正する方法として、重ねるインクドット数を増やす手法が考えられる。しかしながら、インクドットの重ね数を増やすだけでは十分な効果を得ることが難しい場合がある。
【００７１】
図６（ｅ）は、図６（ｄ）と同じ面積階調パターンで、さらに２回、合計６回クリアインクを吐出して光沢層５０３を形成したパターンである。本実施形態において、同じ座標を狙って打たれたクリアインクの塊をクラスタと記す。図６（ｅ）のように、クリアインクの重ね数を増やしても、各クリアインクの着弾位置に誤差が生じるため、隣接するクラスタ同士がくっつき、微細凹凸差の制御や、法線角度分布の制御が難しくなる。
【００７２】
そこで、本実施形態では、クリアインクの重ね数と、クラスタの間隔とを制御する。記録ヘッドから出力面までの距離が特定の距離となるプリンタ２００において、所望の光沢度を再現することができる、クリアインクの重ね数と、クラスタの間隔との組み合わせは、予め実験などを通じて求めることができる。
【００７３】
図６（ｆ）は、図６（ｄ）（ｅ）と同様に適正距離外からクリアインクが吐出されてクラスタが形成されているが、クラスタの間隔がより広くなっている。そのため、クリアインクの重ね数を４回から６回に増やすことにより、充分な微細凹凸面の凹凸差や、法線角度分布を得ることが可能である。ハーフトーン処理などのプリンタの制御信号処理において、分散性の高い閾値マトリクスを用いることにより、入力される面積率が低ければクラスタ間隔は疎に、高ければクラスタ間隔は密になる。
【００７４】
本実施形態では上記手法を利用し、コントローラ１００は、記録ヘッドから出力面までの距離と、鏡面光沢度とに基づいて面積率Ａを決定し、クラスタ間隔を制御する。なお、実施形態はこれに限られず、面積率Ａに固定値を用いて、記録ヘッドから出力面までの距離と、鏡面光沢度とに対応する閾値マトリクスをメモリ１０２に保持しておき、クラスタ間隔を制御する方法なども考えられる。本実施形態では、光沢形成パターン導出部８０６が、記録ヘッドから出力面までの距離と、光沢信号Ｇとに基づいて、図９（ｃ）のＬＵＴを参照して光沢形成パターンＣＬG’を導出し（Ｓ３０４）、構造物が表現する光沢度を制御する。
【００７５】
（構造物出力）
図７（ｄ）は、本実施形態において、プリンタ２００が構造物を出力する手順を示すフローチャートであり、図７（ａ）におけるＳ１０４のサブルーチンに相当する。
【００７６】
Ｓ４０１において、プリンタ２００は、Ｓ１０３で導出された凹凸形成パターンＣＬH’（ｘ，ｙ）に基づいてクリアインクを吐出し、記録媒体２０８上に凹凸層５０１を形成する。より詳細には、プリンタ２００の制御部２２０が、ドット配置パターン化処理部８０９〜記録ヘッド６０２の機能ブロックを制御することにより、凹凸層５０１の形成動作を行う。
【００７７】
ドット配置パターン化処理部８０９は、形成する凹凸形状に対応する画素ごとに、印刷イメージデータであるインデックスデータ（階調値情報）に対応したドット配置パターンに従ってドット配置を行う。上述の通り、インクジェットプリンタの記録は、インクを打つか否かの２値の情報に基づいて行われる。ドット配置パターン化処理部８０９は、凹凸形成パターンＣＬH’（ｘ，ｙ）で表される各画素に対して、その画素の階調値に対応したドット配置パターンを割り当てる。その結果、１画素内の複数の領域それぞれにドットのオン・オフが定義され、１画素内のそれぞれの領域に「１」または「０」の２値の吐出データが配置される。２値の吐出データは、適切なタイミングでヘッド駆動回路８１０に送信されることに応じて記録ヘッド６０２が駆動され、２値の吐出データに従ってクリアインクが吐出される。
【００７８】
また、Ｓ４０２で形成される画像層５０２の発色を助けるために、凹凸層５０１の全面に均一な厚さのホワイトインク層を形成してもよい。これは、例えば記録媒体２０８の全面において面積率＝１００％となるようにホワイトインクを吐出する制御を行えばよい。
【００７９】
Ｓ４０２において、プリンタ２００は、Ｓ１０３で導出された画像形成パターンＣ’Ｍ’Ｙ’Ｋ’（ｘ，ｙ）に基づいて色インクを吐出し、光沢層５０３上に画像層５０２を形成する。画像層５０２の形成動作は、Ｓ４０１と同様にプリンタ２００の制御部２２０が、ドット配置パターン化処理部８０９〜記録ヘッド６０２の機能ブロックを制御することにより行われる。
【００８０】
Ｓ４０３において、プリンタ２００は、Ｓ１０４で導出された光沢形成パターンＣＬG’（ｘ，ｙ）に基づいてクリアインクを吐出し、画像層５０２上に光沢層５０３を形成する。光沢層５０３の形成動作は、Ｓ４０１と同様にプリンタ２００の制御部２２０が、ドット配置パターン化処理部８０９〜記録ヘッド６０２の機能ブロックを制御することにより行われる。
【００８１】
以上説明したように本実施形態の光沢制御装置は、光沢信号Ｇと、記録ヘッドから出力面までの距離とに基づいて、光沢形成パターンＣＬG’を導出する。プリンタ２００は、導出された光沢形成パターンＣＬG’に応じて光沢層５０３を形成する。かかる構成により、本実施形態の光沢制御装置は、凹凸形状の表面に光沢を形成する際に、記録ヘッドから出力面までの距離が変化しても所望の光沢度を制御することができる。
【００８２】
［その他の実施例］
上述の実施形態において、光沢形成パターンＣＬG’の導出は、記録ヘッドから出力面までの距離に基づいて行われている。この記録ヘッドから出力面までの距離情報は、上述の実施形態において、記録ヘッドから吐出されたインクの着弾精度と非常に強い相関関係を有している。その他、記録ヘッドの速度変化などの駆動特性や、記録ヘッドの位置に起因する気流影響のムラや、プリンタ２００の個体差や、プリンタ２００の温度など、印刷環境の変化による着弾誤差を考慮できるようなパラメータを用いるような実施形態であってもよい。
【００８３】
実施形態において、記録ヘッドから出力面までの距離に基づき光沢形成パターンＣＬG’を導出したが、光沢層５０３を形成対象となる下地６０１の形状、周波数特性、振幅特性、または出力面の傾斜角度に応じて光沢形成パターンＣＬG’を導出してもよい。
【００８４】
また、上述の実施形態では、紫外線硬化型のクリアインクを用いて凹凸層５０１を形成するインクジェット記録装置の例を説明したが、実施形態はこれに限定されるものではない。さらに、上述の本実施形態では、凹凸層５０１と、画像層５０２と、光沢層５０３とを重畳して構造物を形成する態様について説明した。しかしながら、記録媒体２０８に既に凹凸形状が形成されている出力面に対して、画像層５０２と、光沢層５０３とを形成する態様であってもよい。この場合、記録ヘッドから出力面までの距離を算出する際に（Ｓ３０３）、点群データなどの形状データが必要になるものの、凹凸形成パターン導出（Ｓ３０４）、凹凸形成（Ｓ４０１）などの凹凸層形成に関する処理を省略することができる。
【００８５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８６】
１００・・コントローラ
２００・・プリンタ
６０２・・記録ヘッド
８０４・・凹凸形成パターン導出部
８０５・・画像形成パターン導出部
８０６・・光沢形成パターン導出部
【図１】
2017128066.tif 000003
【図２】
2017128066.tif 000004
【図３】
2017128066.tif 000005
【図４】
2017128066.tif 000006
【図５】
2017128066.tif 000007
【図６】
2017128066.tif 000008
【図７】
2017128066.tif 000009
【図８】
2017128066.tif 000010
【図９】
2017128066.tif 000011
【図１０】
2017128066.tif 000012
【図１１】
2017128066.tif 000013